(57)【特許請求の範囲】
【請求項１】
少なくとも一対のプーリに水平方向、略水平方向又は搬送方向に向かって下り傾斜した方向に搬送ベルトが巻き掛けられた搬送部と、前記搬送部の上流側に設置され、前記搬送部にパチンコ球を整列させて取り込むパチンコ球取り込み口ユニットと、前記搬送部の下流側に設置され、前記搬送部から搬送されたパチンコ球を上方へ揚送するパチンコ球揚送部ユニットから構成され、パチンコ機から排出されたパチンコ球を研磨しながら搬送して揚送する島設備用パチンコ球搬送装置において、前記パチンコ球揚送部ユニットは、水平方向、略水平方向又は搬送方向に向かって下り傾斜した方向から上方へ向けてパチンコ球を誘導する湾曲状部を備えたパチンコ球通路を有するとともに前記通路に開放した作動空間を当該通路に備え、この作動空間にはアンチバックレバーが揺動軸を中心として揺動可能に配置され前記パチンコ球通路側に突出するように付勢手段によって付勢され、前記パチンコ球の搬送力によって付勢に抗して前記作動空間内に押し込まれたときは前記パチンコ球の流れを許容し、前記パチンコ球通路の内周面から突出したときはパチンコ球の逆流を防止することを特徴とする島設備用パチンコ球搬送装置。
【請求項２】
前記パチンコ球取り込み口ユニットは、少なくとも一列以上の取り込み用パチンコ球通路を有するとともに各通路にパチンコ球を一列に整列させて取り込むための整列部材が設置され、前記パチンコ機から排出されたパチンコ球を前記搬送部の前記搬送ベルトと研磨通路部材の研磨通路溝に対応して取り込み可能とする請求項１の島設備用パチンコ球搬送装置。
【請求項３】
前記アンチバックレバーは、前記パチンコ球通路に突出してパチンコ球の逆流を防止可能な突出部位を有するとともに、前記揺動軸は、当該アンチバックレバーにおける前記突出部位に対して前記パチンコ球通路の入口側に位置していることを特徴とする請求項１または請求項２の島設備用パチンコ球搬送装置。
【請求項４】
前記アンチバックレバーは前記揺動軸から離間した位置に突出部を有し、この突出部の上面を前記付勢手段によって付勢するとともに前記作動空間にこの突出部の下面が衝突する動作規制面を設けたことを特徴とする請求項１，請求項２または請求項３の島設備用パチンコ球搬送装置。
【請求項５】
互いに対称な通路溝及び作動空間溝が形成された一対の通路構成部材を備え、これらを重ねることにより前記パチンコ球通路及び前記作動空間を形成することを特徴とする請求項１，請求項２，請求項３または請求項４の島設備用パチンコ球搬送装置。
【請求項６】
互いに対称な通路溝及び作動空間溝が形成された一対の通路構成部材を、背中合わせの状態で一体形成したことを特徴とする請求項５の島設備用パチンコ球搬送装置。
【発明の詳細な説明】
【技術分野】
【０００１】
この発明は島設備用パチンコ球搬送装置に関し、特に、パチンコ球揚送部ユニットに関するものである。パチンコ遊戯場におけるパチンコ機の島設備に設置され、研磨されたパチンコ球を球タンクへ揚送する際に使用される。
【背景技術】
【０００２】
従来におけるこの種の島設備用パチンコ球搬送装置は、パチンコ機から排出されたパチンコ球を研磨しながら搬送し、パチンコ球揚送部ユニットを介して球タンクへ揚送していた。このパチンコ球揚送部ユニットにはアンチバックレバーが設置されており、このアンチバックレバーを揺動させることによってパチンコ球通路におけるパチンコ球の流れを許容したり、逆流を防止していた。
【０００３】
【特許文献１】特開２００９−１９５４０８号公報
【特許文献２】特開２０１２−１３５５３２号公報
【発明の開示】
【発明が解決しようとする課題】
【０００４】
しかしながら、かかる従来の島設備用パチンコ球搬送装置にあっては、前記アンチバックレバーがパチンコ球揚送部ユニットとは別体で構成され、パチンコ球揚送部ユニットにおけるパチンコ球通路の入口側に配置されていたため、前記アンチバックレバーを備えたパチンコ球揚送部ユニット全体として装置が大きくならざるを得ず、このため、設置空間の取りにくい場所、例えば、枠内が幅狭であるパチンコ機の裏側には設置しにくいという不都合を有した。
【０００５】
この発明の課題はこれらの不都合を解消することである。
【課題を解決するための手段】
【０００６】
前記課題を達成するために、この発明に係る島設備用パチンコ球研磨装置においては、少なくとも一対のプーリに水平方向、略水平方向又は搬送方向に向かって下り傾斜した方向に搬送ベルトが巻き掛けられた搬送部と、前記搬送部の上流側に設置され、前記搬送部にパチンコ球を整列させて取り込むパチンコ球取り込み口ユニットと、前記搬送部の下流側に設置され、前記搬送部から搬送されたパチンコ球を上方へ揚送するパチンコ球揚送部ユニットから構成され、パチンコ機から排出されたパチンコ球を研磨しながら搬送して揚送する島設備用パチンコ球搬送装置において、前記パチンコ球揚送部ユニットは、水平方向、略水平方向又は搬送方向に向かって下り傾斜した方向から上方へ向けてパチンコ球を誘導する湾曲状部を備えたパチンコ球通路を有するとともに前記通路に開放した作動空間を当該通路に備え、この作動空間にはアンチバックレバーが揺動軸を中心として揺動可能に配置され前記パチンコ球通路側に突出するように付勢手段によって付勢され、前記パチンコ球の搬送力によって付勢に抗して前記作動空間内に押し込まれたときは前記パチンコ球の流れを許容し、前記パチンコ球通路の内周面から突出したときはパチンコ球の逆流を防止するものである。
【０００７】
この場合、前記パチンコ球取り込み口ユニットは、少なくとも一列以上の取り込み用パチンコ球通路を有するとともに各通路にパチンコ球を一列に整列させて取り込むための整流止部材が設置され、前記パチンコ機から排出されたパチンコ球を前記搬送部の前記搬送ベルトと研磨通路部材の研磨通路溝に対応して取り込み可能とするものである。
【０００８】
また、前記アンチバックレバーは、前記パチンコ球通路に突出してパチンコ球の逆流を防止可能な突出部位を有するとともに、前記揺動軸は、当該アンチバックレバーにおける前記突出部位に対して前記パチンコ球通路の入口側に位置させることができる。
【０００９】
この場合、前記アンチバックレバーは前記揺動軸から離間した位置に突出部を有し、この突出部の上面を前記付勢手段によって付勢するとともに前記作動空間にこの突出部の下面が衝突する動作規制面を設けることもできる。
【００１０】
また、互いに対称な通路溝及び作動空間溝が形成された一対の通路構成部材を備え、これらを重ねることにより前記パチンコ球通路及び前記作動空間を形成することもできる。
【００１１】
この場合、互いに対称な通路溝及び作動空間溝が形成された一対の通路構成部材を、背中合わせの状態で一体形成することもできる。
【発明の効果】
【００１２】
この発明に係る島設備用パチンコ球搬送装置は上記のように構成されているため、即ち、少なくとも一対のプーリに水平方向、略水平方向又は搬送方向に向かって下り傾斜した方向に搬送ベルトが巻き掛けられた搬送部と、この搬送部の上流側に設置され、搬送部にパチンコ球を整列させて取り込むパチンコ球取り込み口ユニットと、前記搬送部の下流側に設置され、前記搬送部から搬送されたパチンコ球を上方へ揚送するパチンコ球揚送部ユニットから構成され、パチンコ機から排出されたパチンコ球を研磨しながら搬送して揚送する島設備用パチンコ球搬送装置において、前記パチンコ球揚送部ユニットは、水平方向、略水平方向又は搬送方向に向かって下り傾斜した方向から上方へ向けてパチンコ球を誘導する湾曲状部を備えたパチンコ球通路を有するとともに前記通路に開放した作動空間を当該通路に備え、この作動空間にはアンチバックレバーが揺動軸を中心として揺動可能に配置され前記パチンコ球通路側に突出するように付勢手段によって付勢され、前記パチンコ球の搬送力によって付勢に抗して前記作動空間内に押し込まれたときは前記パチンコ球の流れを許容し、前記パチンコ球通路の内周面から突出しときはパチンコ球の逆流を防止するようにしたため、前記アンチバックレバーは前記パチンコ球揚送部ユニットと一体的に構成され、前記パチンコ球揚送部ユニットに内装されているため、前記アンチバックレバーを備えたパチンコ球揚送部ユニット全体として装置をコンパクト化することができる。
【００１３】
よって、この島設備用パチンコ球搬送装置を使用すれば、設置空間の取りにくい場所、例えば、枠内が幅狭であるパチンコ機の裏側には設置しやすく、ひいては、パチンコ機の島をコンパクトに設置することができるものである。
【００１４】
この場合、前記パチンコ球取り込み口ユニッを、少なくとも一列以上の取り込み用パチンコ球通路を有するとともに各通路にパチンコ球を一列に整列させて取り込むための整列部材が設置され、前記パチンコ機から排出されたパチンコ球を前記搬送部の前記搬送ベルトと研磨通路部材の研磨通路溝に対応して取り込み可能とすれば、パチンコ球の取り込みがしやすいものである。
【００１５】
また、前記アンチバックレバーは、前記パチンコ球通路に突出してパチンコ球の逆流を防止可能な突出部位を有するとともに、前記揺動軸を当該アンチバックレバーにおける前記突出部位に対して前記パチンコ球通路の入口側に位置させれば、前記アンチバックレバーを入口近傍に配置できるため、パチンコ球揚送部ユニットをよりコンパクトに形成することができる。
【００１６】
この場合、前記アンチバックレバーは前記揺動軸から離間した位置に突出部を有し、この突出部の上面を前記付勢手段によって付勢するとともに前記作動空間にこの突出部の下面が衝突する動作規制面を設ければ、前記アンチバックレバーの必要以上の突出を防止することができる。
【００１７】
また、互いに対称な通路溝及び作動空間溝が形成された一対の通路構成部材を備え、これらを重ねることにより前記パチンコ球通路及び前記作動空間を形成すれば、前記パチンコ球通路及び前記作動空間を容易に形成できる。
【００１８】
この場合、互いに対称な通路溝及び作動空間溝が形成された一対の通路構成部材を、背中合わせの状態で一体形成すれば、部品点数が少なくなり形成しやすいものである。
【発明を実施するための最良の形態】
【００１９】
この発明に係る島設備用パチンコ球搬送装置は実施するにあたって下記の構成に最も主要な特徴を有する。
【００２０】
「パチンコ球搬送装置」は「少なくとも一対のプーリによって水平方向に搬送ベルトが巻き掛けられた搬送部」と「パチンコ球取り込み口ユニット」と「パチンコ球揚送部ユニット」とからなる。「前記搬送部」の「パチンコ球取り込み口ユニット」側が定義上の「上流側」、「パチンコ球揚送部ユニット」側が定義上の「下流側」に相当し、パチンコ球が上流側から下流側に搬送ベルトによって搬送される。
【００２１】
「パチンコ球取り込み口ユニット」は、前記パチンコ球取り込み口ユニットは、少なくとも一列以上の取り込み用パチンコ球通路を有するとともに各通路にパチンコ球を一列に整列させて取り込むための整列部材（整列レバー）が設置され、前記パチンコ機から排出されたパチンコ球を前記搬送部の前記搬送ベルトと研磨通路部材の研磨通路溝に対応して取り込み可能とする。
【００２２】
「アンチバックレバーの揺動軸」は前記パチンコ球通路の入口側に位置させる。
【００２３】
「アンチバックレバー」は前記揺動軸から離間した位置に突出部を有する。そして、この突出部の上面を前記付勢手段（圧縮ばね）によって付勢するとともに前記作動空間にこの突出部の下面が衝突する動作規制面を設ける。
【００２４】
「通路構成部材」として、互いに対称な通路溝及び作動空間溝が形成された一対の通路構成部材を備える。これらを重ねることにより前記パチンコ球通路及び前記作動空間を形成する。これらの一対の通路構成部材を、背中合わせの状態で一体形成することもできる。
【００２５】
「搬送ベルト」は略水平又は搬送方向に向かって下り傾斜にすることができる。
【００２６】
「搬送ベルト」の送り量調節手段又は回転速度調節手段を設置することもできる。
【実施例】
【００２７】
以下、この発明の実施例を図面に基づいて説明する。
【００２８】
図１はこの発明に係る島設備用パチンコ球搬送装置の使用状態図、図２は図１におけるII部拡大図、図３は図２の平面図、図４は同右側面図、図５は同左側面図、図６はオープンロール式研磨布ユニットの正面図（カバー蓋３４を省略した図である）、図７は同平面図、図８は同右側面図、図９は同底面図、図１０は図６におけるX部の断面図、図１１は図１０におけるXI-XI線断面図、図１２は図２におけるXII部の断面図、図１３は図１２の右側面図、図１４は図１２の部分断面平面図、図１５は図１２におけるXV-XV線断面図、図１６は図２におけるXVI部断面図、図１７は図１６におけるXVII-XVII線断面図、図１８は図１６の部分断面平面図、図１９は他の通路構成部材の断面図である。
【００２９】
図１において、Ａはパチンコ機の島設備であり、多数のパチンコ機１０，１０，…が背中合わせとなるように配列されている。
【００３０】
なお、パチンコ機１０は外枠を介して島設備に釘打ちされる。この外枠のサイズとは、関東枠サイズ、関西枠サイズをさすが、以下これについて説明する。
【００３１】
概略的に延べれば、関東枠サイズとは、主に東日本で設置されているパチンコ機の外形寸法（外枠サイズ）であり、また関西枠サイズとは、主に西日本で設置されているパチンコ機の外形寸法（外枠サイズ）である。これらを比較すると、関東枠サイズは関西枠サイズに比べてやや小さい。例えば、関東枠サイズ：縦８０５mm、横：５２５mmに対して、関西枠サイズ：縦８２０mm,横：５２５mmの機種があり、また、関東枠サイズ：縦８１０mm、横：５２０mmに対して、関西枠サイズ：縦８２０mm,横：５３０mmの機種がある。
【００３２】
また、１１は球タンクであり、前記パチンコ機設置島Ａにおける前記パチンコ機１０の背面に設置されている。この球タンク１１は前記パチンコ機１０と前記パチンコ機設置島Aとを循環するパチンコ球を収容する。１２，１２はパチンコ球供給樋であり、前記球タンク１０の両側に設置され、下り傾斜で前記パチンコ機１０，１０，…の上方に延びている。このパチンコ球供給樋１２，１２は前記球タンク１１のパチンコ球Ｐを前記各パチンコ機１０，１０，…に供給する。
【００３３】
１３は排出球タンクであり、前記パチンコ機設置島Ａにおける前記パチンコ機１０の背面に設置されている。この排出球タンク１３は前記パチンコ機１０，１０，…から排出されたパチンコ球Ｐを収容する。１４，１４はパチンコ球排出樋であり、前記排出球タンク１３の両側に設置され、上り傾斜で前記パチンコ機１０，１０，…の下方に延びている。この排出樋１４、１４は前記パチンコ機１０，１０，…から排出されるパチンコ球Ｐを前記排出球タンク１３に回収する。
【００３４】
Ｂはパチンコ球研磨装置であり、前記パチンコ機設置島Ａにおける前記排出球タンク１３に並設している。このパチンコ球研磨装置Ｂは前記排出球タンク１３内のパチンコ球Ｐを研磨し、揚送パイプ１５，１５を介して前記球タンク１１に揚送する。
【００３５】
図２〜図５に基づいて前記パチンコ球研磨装置Ｂについて説明する。
【００３６】
このパチンコ球研磨装置Ｂは、パチンコ機１０，１０，…から排出されたパチンコ球Ｐを研磨しながら搬送し、球タンク１１へ揚送するパチンコ球搬送装置Ｃと、このパチンコ球搬送装置Ｃに配置され前記パチンコ球Ｐを研磨するボックス状のオープンロール式研磨布ユニットＤから構成される。
【００３７】
２０は前記パチンコ球搬送装置Ｃの基板であり、垂直状態に配置されている。この基板２０を介して前記パチンコ球搬送装置Ｃは前記パチンコ機設置島Ａに固定される。また、２０１，２０１は把手であり、前記基板２０の上部の両側端に突設されている。２１は原動軸であり、前記基板２０に軸支されている。この原動軸２１は前記基板２０に対して垂直に延びている。２２は駆動モータであり、前記基板２０の背面に設置されている。この駆動モータ２２によって前記原動軸２１は回転する。２３は原動プーリであり、前記原動軸２１に嵌着されている。この原動プーリ２３は前記原動軸２１と一体的に回転する。２４は従動軸であり、前記基板２０に軸支されている。この従動軸２４は前記原動軸２１と略同じ高さに位置している。２５は従動プーリであり、前記従動軸２４に回転可能に嵌められている。この従動プーリ２５は前記従動軸２４を中心として回転する。２６は搬送ベルトであり、前記原動プーリ２３と前記従動プーリ２５との間に巻き掛けられている。この搬送ベルト２６は前記駆動モータ２２によって矢印方向（図２において）に回転する。この一対のプーリ２３，２５に搬送ベルト２６が巻き掛けられた搬送部Ｅの後記パチンコ球取り込み口ユニットＧ側が定義上の「上流側」、後記「パチンコ球揚送部ユニットＨ」側が定義上の「下流側」に相当し、パチンコ球Ｐが上流側から下流側に前記搬送ベルト２６によって搬送される。なお、この搬送部Ｅと後記パチンコ球取り込み口ユニットＧと後記パチンコ球揚送部ユニットＨとからこの発明のパチンコ球搬送装置Ｃが構成される。また、前記搬送部Ｅにおいて駆動源（駆動モータ２２）に１対してプーリ自体は複数でも良い。
【００３８】
なお、この実施例におけるパチンコ球研磨装置Ｂの寸法は図２および図３に示すように、横k＝４１０mm,縦(把手３８を畳んだ場合)e＝３６６mm, 縦(把手３８を立てた)f＝４１６mm,幅ｇ＝１８３mmであり、前記外枠の中を通過可能なサイズである。
【００３９】
次に、２７，２７は支持片であり、前記基板２０の上部両側に立設されている。この支持片２７，２７にはターンバックル式の掛け止め具２８，２８が設置されている。また、２９は切り欠きであり、前記基板２０に形成されている。この切り欠き２９は上方に開放している。
【００４０】
図６〜１１に基づいて、前記オープンロール式研磨布ユニットＤについて詳述する。
【００４１】
図において、３０はベース板（研磨布ユニットＤの）であり、略垂直に配置されている。このベース板３０は金属製、樹脂製である。３１，３１は天板であり、前記ベース板３０の両側の上端縁に折り曲げ形成されている。この天板３１，３１は略水平に延びている。３２，３２は取付片であり、前記天板３１，３１の外端縁に折り曲げ形成されている。この取付片３２，３２は前記ベース板３０の端縁に沿って上下方向に延びている。３３，３３は掛け止め片であり、前記取付片３２，３２に設置されている。この掛け止め片３３，３３には前記掛け止め具２８，２８が掛け止めする。３４はカバー蓋であり、前記天板３１，３１の先端縁に蝶番３５，３５を介して揺動可能に設置されている。このカバー蓋３４は前記ベース板３０の前面を開閉する（なお、図６はこのカバー蓋３４を省略した図である）。３６，３６はガイド片であり、前記ベース板３０の両端縁の下部に折り曲げ形成されている。このガイド片３６，３６は後記研磨布Ｆの垂直方向の移動をガイドする。３７，３７は取付片であり、前記ガイド片３６，３６を内側に折り曲げ形成することにより形成される。この取付片３７，３７は内側方向に水平に延びている。なお、３８は把手であり、前記一対の天板３１，３１の間に架け渡された状態で設置されている。この把手３８は背面側に９０度揺動する。
【００４２】
図９，図１０，図１１において、４０は固定枠であり、前記取付片３７，３７に固定されている。この固定枠４０は断面コ字状であり、下方に開放している。４１，４１，…は湾曲通路部材（この発明の「研磨通路部材」に相当する）であり、前記固定枠４０内に三列状に配置されている。この湾曲通路部材４１，４１，…の表面に後記研磨布Ｆが敷設される。４２，４２，…は圧縮ばね（コイルスプリング）であり、前記固定枠４０と前記湾曲通路部材４１，４１，…との間に設置され、前記湾曲通路部材４１，４１，…を表面側に付勢している。４３，４３は鉤止片であり、前記固定枠４０に固定されている。この鉤止片４３，４３は前記湾曲通路部材４１，４１，…の付勢による抜け落ちを図っている。
【００４３】
４４，４４，…は湾曲通路溝（この発明の「研磨通路溝」に相当する）であり、前記湾曲通路部材４１，４１，…の表面に形成されている。この湾曲通路溝４４，４４，…は断面が球面状（パチンコ球に合わせた）であり、長手方向には蛇行している。前記搬送ベルト２６によって搬送されるパチンコ球Ｐはこの湾曲通路溝４４，４４，…に沿って(研磨布Ｆを介して）回転方向をずらしながら搬送されるため表面全体が研磨される。なお、４５，４６はガイド部材であり、前記固定枠４０に固定されている。これらのガイド部材４５、４６は研磨布Ｆの前記湾曲通路部材４１，４１，…への侵入、抜け出しをガイドしている。なお、前記「研磨通路溝」の第二実施形態として、直線状の研磨通路溝をジグザグ状に繋げた（鋭角又は鈍角で連続させる）クランク通路を使用することもできる。この場合も、左右方向（斜め）へパチンコ球Pを動かすことにで、パチンコ球Pと研磨布Fの接触面をずらし、研磨効果を高めるためである。
【００４４】
図６，図８において、５０は支持軸であり、前記ベース板３０の表面に立設されている。この支持軸（この発明の「布送り部」に相当する）５０には使用前の研磨布ロールＲが回転可能に嵌められる。５１は巻取軸（この発明の「布巻き取り部」に相当する）であり、前記ベース板３０の表面に立設されている。この巻取軸５１は前記ベース板３０の背面に突出している。５２は巻取ローラ（この発明の「布巻き取り部」に相当する）であり前記巻取軸５１に固定されている。前記研磨布ロールＲの研磨布Ｆはガイドローラ５３、ガイド片３６にガイドされ、前記湾曲通路溝４１，４１，…の表面を通過してガイド片３７にガイドされ速度調節プーリ５４に巻き掛けられ、前記巻取ローラ５２に固定されている。このため、前記巻取軸５１を回転させることにより前記研磨布Ｆを前記湾曲通路溝４１，４１，…を通過させた状態で巻き取ることができる。
【００４５】
図６，図７，図８において、５５は従動ギアであり、前記巻取軸５１の背面突出部に固定されている。５６は駆動モータで（この発明の「布巻き取り部の駆動源」に相当する）あり、前記ベース板３０の表面に固定されている。この駆動モータ５６の回転軸５７は前記ベース板３０の背面に突出している。５８は原動ギアであり、前記回転軸５７の背面突出部に固定されている。この原動ギア５８は連動ギア５９を介して前記従動ギア５５に歯合している。このため、前記駆動モータ５６の駆動によって前記巻取軸５１を回転させ、研磨布Ｆを巻き取ることができる。なお、研磨布Ｆの巻き取りは一定時間が経過するごとに前記駆動モータ５６が所定時間だけ駆動し所謂間欠的に行われる。９２は布残量検知センサであり、前記ベース板３０の背面に設置されている。この布残量検知センサ９２が前記研磨布ロールＲの布残量が所定残量に達したときに報知手段によって報知する。
【００４６】
また、９３は布巻き取り量の検出センサであり、前記ベース板３０の背面に設置されている。この布巻き取り量の検出センサ９３が前記速度調節プーリ５４の隙間（プーリ５４の周面の凹凸の隙間をフォトで検出する）を間欠的に検出することで巻き取り量を判断する。送り側、巻き取り側のロールの直径（研磨布の量が可変する）によって、モータ５６の研磨布Ｆの巻き取り力は異なるため、当該プーリ５４の前記検出間隔で、巻き取り量（時間当たりの巻き取り量）を検出し、モータ５６の駆動速度を調整するものである。１回のオンオフの切り替わり検出のタイミングで巻き取り量を検出、判定する。なお、前記５６駆動モータ５６の電源は外部からハーネスを介して採っており、また、前記布残量検知センサ９２及び前記布送り速度検知センサ９３のコントロール部は前記オープンロール式研磨布ユニットＤの外部に設置され、ハーネスを介してつながれている。
【００４７】
６０はカバーボックスであり、前記ベース板３０の背面上方にビス止めされている。このカバーボックス６０は前記基板（パチンコ球搬送装置Ｃ）２０の切り欠き２９の形状に合わせて下端部が漸次狭幅になっている。
【００４８】
上記のように構成される前記カオープンロール式研磨布ユニットＤを前記パチンコ球搬送装置Ｃに配置するには、前記カバーボックス６０を前記基板（パチンコ球搬送装置Ｃ）２０の切り欠き２９は探すのが大変なので切り欠き２９の形状に合わせて上方から嵌めこみ、前記基板（パチンコ球搬送装置Ｃ）２０の前記掛け止め具２８，２８を前記掛け止め片（研磨布ユニットＤ）３３，３３に掛け止めすればよい。この状態で前記湾曲通路溝４１，４１，…は前記カートリッジ式研磨布ユニットＤの下端面に位置することになり、前記搬送ベルト２６に対向している。
【００４９】
なお、この実施例におけるオープンロール式研磨布ユニットＤの寸法は図６および図８に示すように、横h＝２６０mm,縦i＝３３２mm,幅j＝１０８mmであり、前記外枠の中を通過可能なサイズである。この実施例におけるオープンロール式研磨布ユニットＤは前記パチンコ球研磨装置Ｂ同様開放した前記外枠の中に通すことができる程のコンパクトサイズであり、よって、オープンロール式研磨布ユニットＤおよび前記パチンコ球研磨装置Ｂの取り扱い性能が高くなる。
【００５０】
次に、図１２〜１５に基づいて前記パチンコ球取り込み口ユニットＧについて詳述する。前記パチンコ球取り込み口ユニットＧは前記搬送部Ｅの上流側に位置し、取付ステイ６１によって前記基板２０にビス止めされる。６２，６２は前記取り込み口ユニットＧの外枠、６３，６３はこの外枠６２，６２の内側に配置された側板である。これらの側板６３，６３の内側には３つの整列レバー（この発明の「整列部材」に相当する）６４，６４，…が仕切り板部材６５を介して重設されている。
【００５１】
６６，６６，…はパチンコ球通路であり、前記仕切り板部材６５又は前記仕切り板部材６５と前記側板６３，６３及び前記整列レバー６４の下端面とによって形成される。このパチンコ球通路６６，６６，…の入口は前記排出球タンク１３に開口し、出口は前記搬送ベルト２６の搬送面に接しながら前記湾曲通路部材４１，４１，…の湾曲通路溝４４，４４，…に通じている。
【００５２】
６８は揺動軸であり、前記パチンコ球通路６６，６６，…の入口側に設置され、前記外枠６２，６２、側板６３，６３，３つの整列レバー６４，６４，…及び仕切り板部材６５を貫通した状態で前記外枠６２，６２に固定されている。この揺動軸６８を中心として前記整列レバー６４，６４は揺動する。
【００５３】
６９は揺動規制軸であり、前記前記パチンコ球通路６６，６６，…の出口側に設置されている。この揺動規制軸６９は前記整列レバー６４，６４，…のスライド孔７０に貫通しており、所定の範囲内のみで前記整列レバー６４，６４，…の揺動を可能にしている。７１，７１，…は圧縮ばね（コイルスプリング）であり、前記取付ステイ６１と前記整列レバー６４，６４，…との間に設置されている。この圧縮ばね７１，７１，…は前記整列レバー６４，６４，…を下方に押し付け、研磨布Ｆへの押し付けを行うことで、確実に搬送ベルト２６に接触させる。この接触により、搬送ベルト２６の力でパチンコ球Ｐが右方向に引張られていく。また、左側からのパチンコ球Ｐの球圧も右方向へ押し出す力が働く。
【００５４】
このように構成される前記パチンコ球取り込み口ユニットＧの作用について説明する。
【００５５】
入口から流入したパチンコ球Ｐは自重によって前記パチンコ球通路６６，６６，…内を移動し、前記搬送ベルト２６上に到達する。そして、搬送ベルト２６による移動（図１３において右方向）にともない前記圧縮ばね７１，７１，…に抗して前記整列レバー６４，６４，…を押し上げ（図１２仮想線の状態）、出口から一列に整列させて前記湾曲通路部材４１，４１，…の湾曲通路溝４４，４４，…に送り込む。後は、前記搬送ベルト２６に乗って前記湾曲通路溝４４，４４，…に沿って研磨されながら水平移動する。
【００５６】
次に、図１６〜１８に基づいて前記パチンコ球揚送部ユニットＨについて詳述する。前記パチンコ球揚送部ユニットＨは前記搬送部Ｅの下流側に位置し、前記基板２０にボルト止めされている。８０，８０は前記揚送部ユニットＨの外枠、８１，８１，…はこの外枠８０，８０の内側に配置された通路構成部材である。これらの通路構成部材８１，８１，…は一対で一組になっており、対向する面に互いに対称な通路溝８２，８２，…及び作動空間溝８３，８３，…が形成され、これらを重ねることによりパチンコ球通路８４，８４，…及び作動空間８５，８５，…を形成する。なお、図１９に示すように、互いに対称な通路溝８２及び作動空間溝８３が形成された一対の通路構成部材８１，８１を背中合わせの状態で一体形成して新たな通路構成部材８１１を形成し、一対の通路構成部材８１，８１を背中合わせの状態で使用する代わりに用いることができる。
【００５７】
このパチンコ球通路８４，８４，…は湾曲（一定曲率）部を介したあと上方に向かっており、その入口は前記搬送ベルト２６及び前記湾曲通路部材４１，４１，…の湾曲通路溝４４，４４，…のそれぞれに対応して開口し、出口は前記揚送パイプ１５，１５，…につながっている。また、前記作動空間８５，８５，…は内部に向かって突出空間８６，８６，…を有している。
【００５８】
８７は揺動軸であり、前記パチンコ球通路８４，８４，…の入口側に設置されている。８８，８８，…はアンチバックレバーであり、前記作動空間８５，８５，…に収容され、前記揺動軸８７を中心として揺動する。このアンチバックレバー８８，８８，…は揺動することによって、前記パチンコ球通路８４，８４，…の内周面を構成してパチンコ球Ｐの流れを許容したり、前記パチンコ球通路８４，８４，…の内周面から突出してパチンコ球Ｐの逆流を防止する。なお、８８１はアンチバックレバー８８の突出部であり、前記揺動軸８７と反対側に突出している。前記アンチバックレバー８８は、逆流したパチンコ球Ｐと搬送ベルト２６が接触することによって、空転および搬送ベルト２６との接触による発熱で、前記搬送ベルト２６を含めた樹脂製品が歪むなどの問題を防止するために設置されたものであり、逆流によって、パチンコ球Ｐが通路から外部にはみ出さないように入口部にてせき止める意味があり、更にそのせき止めを行う部材が、パチンコ球の取り込み部の上面部（パチンコ球通路８４の上昇カーブへの取り込みのための）を兼ねている。
【００５９】
８９，８９，…は押圧具（この発明の「付勢手段」に相当する）であり、上下動可能に設置されその先端面は前記アンチバックレバー８８，８８，…の突出部（揺動軸と反対側）８８１上面に接触している。９０，９０，…は圧縮ばね（コイルスプリング）（この発明の「付勢手段」に相当する）であり、座板９１と前記押圧具８９，８９，…との間に設置されている。この圧縮ばね９０，９０，…はパチンコ球Ｐが逆流しないように前記アンチバックレバー８８，８８，…を下方に付勢している。また、前記突出空間部８６，８６，…の下面は動作規制面となり、当接することによってアンチバックレバー８８，８８，…が必要以上にパチンコ球通路８４，８４，…に突出するのを防止している。
【００６０】
このように構成される前記パチンコ球揚送部ユニットＨの作用について説明する。
【００６１】
前記搬送ベルト２６に乗って前記湾曲通路溝４４，４４，…に沿って研磨されながら水平移動してきたパチンコ球Ｐは、前記パチンンコ球通路８４，８４，…の入口に達する。パチンコ球Ｐは前記湾曲通路溝４４，４４，…を脱した後はそのまま前記搬送ベルト２６に乗って前記アンチバックレバー８８，８８，…を押し上げながら前記パチンンコ球通路８４，８４，…に侵入する。そして、前記搬送ベルト２６から離れた位置に達すると前記アンチバックレバー８８，８８，…の押し上げ作業は終了し、前記パチンンコ球通路８４，８４，…に突出してパチンコ球Ｐの逆流を防止する。この作業を繰り返すことによって前記パチンンコ球通路８４，８４，…内にパチンコ球Ｐを押し出し、ひいては、前記揚送パイプ１５，１５，…を介して前記球タンク１１まで押し上げる。
【産業上の利用可能性】
【００６２】
この発明に係る島設備用パチンコ球搬送装置は、前記アンチバックレバーを備えたパチンコ球揚送部ユニット全体として装置をコンパクト化することができる。設置空間の取りにくい場所、例えば、枠内が幅狭であるパチンコ機の裏側には設置しやすく、ひいては、パチンコ機の島をコンパクトに設置することができる。よって、産業上の利用可能性は高いものである。
【図面の簡単な説明】
【００６３】
【図１】図１はこの発明に係る島設備用パチンコ球搬送装置の使用状態図である。
【図２】図２は図１におけるII部拡大図である。
【図３】図３は図２の平面図である。
【図４】図４は同右側面図である。
【図５】図５は同左側面図である。
【図６】図６はオープンロール式研磨布ユニットの正面図（カバー蓋３４を省略した図）である。
【図７】図７は同平面図である。
【図８】図８は同右側面図である。
【図９】図９は同底面図である。
【図１０】図１０は図６におけるX部の断面図である。
【図１１】図１１は図１０におけるXI-XI線断面図である。
【図１２】図１２は図２におけるXII部の断面図である。
【図１３】図１３は図１２の右側面図である。
【図１４】図１４は図１２の部分断面平面図である。
【図１５】図１５は図１２におけるXV-XV線断面図である。
【図１６】図１６は図２におけるXVI部断面図である。
【図１７】図１７は図１６におけるXVII-XVII線断面図である。
【図１８】図１８は図１６の部分断面平面図である。
【図１９】図１９は他の通路構成部材の断面図である。
【符号の説明】
【００６４】
Ａ  …  パチンコ機設置島
Ｂ  …  パチンコ球研磨装置
Ｃ  …  パチンコ球搬送装置
Ｄ  …  カートリッジ式研磨布ユニット
Ｅ  …  搬送部
Ｆ  …  研磨布
Ｇ  …  パチンコ球取り込み口ユニット
Ｈ  …  パチンコ球揚送部ユニット
Ｐ  …  パチンコ球
Ｒ  …  研磨布ロール
ｋ  …  横（パチンコ球研磨装置）
e   …  縦(パチンコ球研磨装置、把手３８を畳んだ場合)
f   …  縦(パチンコ球研磨装置、把手３８を立てた)
g   …  幅（パチンコ球研磨装置）
h   …  横（カートリッジ式研磨布ユニット）
i   …  縦（カートリッジ式研磨布ユニット）
j   …  幅（カートリッジ式研磨布ユニット）
１０  …  パチンコ機
１１  …  球タンク  
１２  …  パチンコ球供給樋
１３  …  排出球タンク
１４  …  パチンコ球排出樋
１５  …  揚送パイプ
２０  …  基板
２０１  …  把手
２１  …  原動軸
２２  …  駆動モータ
２３  …  原動プーリ
２４  …  従動軸
２５  …  従動プーリ
２６  …  搬送ベルト
２７  …  支持片
２８  …  ターンバックル式の掛け止め具
２９  …  切り欠き
３０  …  ベース板（研磨布ユニットＤの）
３１  …  天板
３２  …  取付片
３３  …  掛け止め片
３４  …  カバー蓋
３５  …  蝶番
３６  …  ガイド片
３７  …  取付片
３８  …  把手
４０  …  固定枠
４１  …  湾曲通路部材（研磨通路部材）
４２  …  圧縮ばね（コイルスプリング）
４３  …  鉤止片
４４  …  湾曲通路溝（研磨通路溝）
４５  …  ガイド部材
４６  …  ガイド部材
５０  …  支持軸（布送り部）
５１  …  巻取軸（布巻き取り部）
５２  …  巻取ローラ（布巻き取り部）
５３  …  ガイドローラ
５４  …  速度調節プーリ
５５  …  従動ギア
５６  …  駆動モータ（布巻き取り部の駆動源）
５７  …  回転軸５７
５８  …  原動ギア
５９  …  連動ギア
６０  …  カバーボックス
６１  …  取付ステイ
６２  …  外枠
６３  …  側板
６４  …  整列レバー（整列部材）
６５  …  仕切り板部材
６６  …  パチンコ球通路
６８  …  揺動軸
６９  …  揺動規制軸
７０  …  スライド孔
７１  …  圧縮ばね（コイルスプリング）
８０  …  外枠
８１  …  通路構成部材
８１１  …  通路構成部材
８２  …  通路溝
８３  …  作動空間溝
８４  …  パチンコ球通路
８５  …  作動空間
８６  …  突出空間
８７  …  揺動軸
８８  …  アンチバックレバー
８８１  …  アンチバックレバーの突出部
８９  …  押圧具（付勢手段）
９０  …  圧縮ばね（コイルスプリング）（付勢手段）
９１  …  座板
９２  …  布残量検知センサ
９３  …  布送り速度検知センサ
【図１】
0005961674.tif 000002
【図２】
0005961674.tif 000003
【図３】
0005961674.tif 000004
【図４】
0005961674.tif 000005
【図５】
0005961674.tif 000006
【図６】
0005961674.tif 000007
【図７】
0005961674.tif 000008
【図８】
0005961674.tif 000009
【図９】
0005961674.tif 000010
【図１０】
0005961674.tif 000011
【図１１】
0005961674.tif 000012
【図１２】
0005961674.tif 000013
【図１３】
0005961674.tif 000014
【図１４】
0005961674.tif 000015
【図１５】
0005961674.tif 000016
【図１６】
0005961674.tif 000017
【図１７】
0005961674.tif 000018
【図１８】
0005961674.tif 000019
【図１９】
0005961674.tif 000020